(57)【特許請求の範囲】
【請求項１】
ボールを下方から支持するとともにほぼ水平な一方向にボールの走行を許容する複数の下側ボール走行面と、これらの下側ボール走行面を相互に平行に形成した両腕を抱え込んだ略眼鏡型のアウターメンバと、上記各下側ボール走行面上のボールを上方から押さえるために各下側ボール走行面と対をなすように形成された複数の上側ボール走行面と、これら複数の上側ボール走行面を形成した両端を半円形に立ち上がらせ、中央部を前記上側ボール走行面より下方に位置させて、前記アウターメンバとの間に広い空間を形成したインナーメンバと、各対をなす上下のボール走行面間に配置され複数のボールを整列保持するボールリテーナとからなるスライドレールを２本平行に設けたダブルのスライドレールであって、吊り下げられた２枚の並行移動する引き扉が同時に移動を開始するとともに、後扉の移動距離が前扉の移動距離の半分の距離となるスライド収納扉を摺動自在にスライドレールに吊り下げる形式の吊り下げ型の引き扉において、２つのスライドレールを鴨居に水平にかつ並行に設置し、それぞれのインナーメンバに扉の上端を吊り下げ、かつ２つのインナーメンバの移動距離を一方のインナーメンバの移動距離が他方のインナーメンバの移動距離の半分となるように各インナーメンバの長手方向の側壁にラックを設け、ギヤ比が２：１となるギヤを介在させて各ギヤをラックに歯合させたことを特徴とする吊下げ引き扉
【請求項２】
前記吊下げ引き扉は、２つのスライドレールを鴨居に並行して水平に設置し、それぞれのインナーメンバに扉の上端を吊り下げ、かつ２つの扉の移動距離を後扉の移動距離が前扉の移動距離の半分となるように吊下げ引き扉用ダブルスライドレールとは別のスライドレールのアウターメンバを後扉の外側壁に扉の移動方向でスライドレールが伸延する扉の移動方向に沿って垂直に装着するとともに、該別のスライドレールのインナーメンバを前扉の内側壁に装着させたことを特徴とする請求項１記載の吊下げ引き扉
【請求項３】
前記吊下げ引き扉は、並行移動する２つの扉の下端が揺動しないように後扉の下端面に扉の進行方向に沿って水平にスライドレールを装着するとともに、該スライドレールのインナーメンバと前扉の後端面とを揺動しないように連結させたことを特徴とする請求項１記載の吊下げ引き扉
【発明の詳細な説明】
【０００１】
【発明の属する技術分野】
本発明は、電子機器、光学機器、ビジネス機器、家具等々に使用されるスライドレールに関し、特に引き扉を吊り下げるスライドレールであって、床にレールや敷居を敷設する必要のない吊り扉に用ることの出来るダブルスライドレールの作動制御に関する。
【０００２】
【従来の技術】
スライドレールは、精度が高く、抵抗が少ないので、精度の要求される精密機械、電子機器、コピー機などの可動部分に広く使用されている。また、大きい重量が加わる場所、たとえば、出入口の扉や、家庭で使用する多段の抽斗などの家具類等にも広く使用されている。
【０００３】
従来の障子や襖などの引き扉は、長い溝の削設された床に敷設される敷居と、それと対をなして天に敷設される溝の削設された鴨居とによって移動の道筋がつけられて摺動させていた。
一方、身障者保護や高齢者にやさしい住環境等の要請があり、バリアフリーが要求されている。特に住環境の整備という観点からは敷居の除去は欠かせないポイントとなっている。敷居やレールのちょっとした段差により、車椅子や足の不自由な人は多大の不安を感じ、実際の行動でも強い不満感を持つことになる。車椅子等では顕著にこの問題が起こっている。また、敷居やレール式の引き扉では、引き扉の全重量が敷居や引き扉にかかるので、扉の重量に抗して開閉をする為、レール等の摩擦の状況によっては、少しの力ではびくともしない事態も発生していた。その点、吊り下げ式の扉は軽くワンタッチで開閉できる利点が特に注目されている。
【０００４】
出願人の発明した吊り下げ式のスライドレールが既に特開２０００−１７０４３５号として出願されている。しかし、このスライドレールは単体で使用するものであり、十分なスペースを確保しなくては使用できなかった。また、増改築等で新たに吊りドアを採用する場合には、収納スペースが小さいので、大きな単体のスライドレールでは、日本の屋内事情が許さず、使用することは困難であることもあり、機器自体の省スペース化が望まれていた。
現在、新築の住居では、将来設計を考えてバリアフリーを取り入れた建築様式が採用されている。また、２世帯同居等の思想では、老人の介護等々の問題から、床には敷居やレールを敷設しない思想が一歩先端を行っていると考えられている。また、小規模な改築工事では、バリアフリーの敷居やレールを除去した改造が追求されている。
そこで、先発明（特開２０００−１７０４３５号）を改良、設置することにより、軽い力で開け閉めができる吊下げ引き扉の開発が待たれていた。
【０００５】
また、観音開きまたは片開きの扉の場合、９０度半回転して開閉するスペースを確保して置く必要があり、この空間はデッドスペースとなっていた。特に、扉が回転以上する場合は半径１８０度の範囲が回転スペースとなりタンス等の家具等を置くことができないスペースとなっていた。スペースの有効利用を考えて、増改築の際に、敢えて洋風の開き戸を引き戸に変更する事も多々ある事例である。その際に、上記のバリアフリーも考えて、扉を鴨居で吊る方式が多く採用されるようになった。
また、この方式は床の掃除や物の移動の際に大変便利であるという利点もある。
【０００６】
【発明が解決しようとする課題】
上記問題を解決するために、本発明のダブルスライドレールは吊り下げ式のスライドレールを２つ以上係合させた構成であり、２つの引き扉からなる扉等を軽度の力でスライドさせて開閉することができ、また省スペースでローコスト、また簡単に設置することができる吊下げ引き扉を提供することを目的としている。
【０００７】
【課題を解決するための手段】
本発明に係る吊下げ引き扉は、ボールを下方から支持するとともにほぼ水平な一方向にボールの走行を許容する複数の下側ボール走行面と、これらの下側ボール走行面を相互に平行に形成した両腕を抱え込んだ略眼鏡型のアウターメンバと、上記各下側ボール走行面上のボールを上方から押さえるために各下側ボール走行面と対をなすように形成された複数の上側ボール走行面と、これら複数の上側ボール走行面を形成した両端を半円形に立ち上がらせ、中央部を前記上側ボール走行面より下方に位置させて、前記アウターメンバとの間に広い空間を形成したインナーメンバと、各対をなす上下のボール走行面間に配置され複数のボールを整列保持するボールリテーナとからなるスライドレールを２本平行に設けたダブルのスライドレールであって、吊り下げられた２枚の並行移動する引き扉が同時に移動を開始するとともに、後扉の移動距離が前扉の移動距離の半分の距離となるスライド収納扉を摺動自在にスライドレールに吊り下げる形式の吊り下げ型の引き扉において、２つのスライドレールを鴨居に水平にかつ並行に設置し、それぞれのインナーメンバに扉の上端を吊り下げ、かつ２つのインナーメンバの移動距離を一方のインナーメンバの移動距離が他方のインナーメンバの移動距離の半分となるように各インナーメンバの長手方向の側壁にラックを設け、ギヤ比が２：１となるギヤを介在させて各ギヤをラックに歯合させた構成である。
【０００８】
さらに、２つのスライドレールを鴨居に並行して水平に設置し、それぞれのインナーメンバに扉の上端を吊り下げ、かつ２つの扉の移動距離を後扉の移動距離が前扉の移動距離の半分となるように吊下げ引き扉用ダブルスライドレールとは別のスライドレールのアウターメンバを後扉の外側壁に扉の移動方向でスライドレールが伸延する扉の移動方向に沿って垂直に装着するとともに、該別のスライドレールのインナーメンバを前扉の内側壁に装着させた構成である。
また、並行移動する２つの扉の下端が揺動しないように後扉の下端面に扉の進行方向に沿って水平にスライドレールを装着するとともに、該スライドレールのインナーメンバと前扉の後端面とを揺動しないように連結させた構成とすることもできる。
【０００９】
【作用】
本発明に係る吊下げ引き扉用ダブルスライドレールは、吊下げ引き扉用スライドレールを複数係合させることにより、省スペースな引き扉を設置することが可能となる。また、吊り下げ式なので軽度の力で引き扉を開閉作動させることが可能となる。また、扉と扉の間にスライドレールを係合させることにより、扉の揺動を防止し、全体に係る負荷を減少することが可能である。また、扉下端面（底部）に揺動防止用のスライドレールを増設することにより、扉のぶらつき(揺動)を防止する。また、移動する前扉と後扉とをギアとラックで係合させて移動の巾をコントロールしている。また、それぞれの扉を同時に始動させ、同時に停止させることも可能である。
【００１０】
【発明の実施の形態】
以下に本発明を図面に示す実施例を用いて詳細に説明する。図１は本発明の吊下げ引き扉の断面図であり、図２は本発明の吊下げ引き扉の設置した際の平断面図であり、図３は本発明に係る吊下げ引き扉の別の実施例である。また、図４は図３の実施例に揺動防止のスライドレールを底部に設置した実施例であり、さらに、図５（ａ）（ｂ）は後扉の下端面（底部）に設置した揺動防止用スライドレールの動作図である。また、図６は吊下げ引き扉にラックとギアを係合させた図である。
【００１１】
本発明の吊下げ引き扉１０は、２つの吊下げ引き扉用スライドレール１０ａ、１０ｂとからなり、鴨居に水平にかつ並行に設置される。吊下げ引き扉用のスライドレール１０ａと、スライドレール１０ｂとは、従来のスライドレールと基本的な構造は同一であり、それぞれ固定レールとなるアウターメンバ１１と、可動レールとなるインナーメンバ１２と、多数のボール１３と、ボール１３を保持するボールリテーナ１４とから構成されている。
【００１２】
アウターメンバ１１は金属製で、ほぼ平らな板の左右両側をほぼ直角に折り曲げ、折り曲げられた先端部分をさらに内側に折り曲げて、その先端を湾曲させることにより内側に下側ボール走行面１１ａを形成したもので、左右対称の形状となっている。
【００１３】
ボール走行面１１ａは、横断面形状が円弧形状のボールガイド溝として形成され、円弧の部分がボール１３の外周と同じ曲率半径で、ボール１３を下方から支える構成である。
【００１４】
インナーメンバ１２もアウターメンバと同様の金属製であり、アウターメンバ１１によって上方と左右両側を囲まれた空間内に収容されている。左右端が上方に向かって湾曲し、湾曲部の下側面に上側ボール走行面１２ａが形成され、やはり左右対称の形状を形成している。上側ボール走行面１２ａもボール１３と同じ曲率半径の円弧形状で、アウターメンバ１１に形成された下側ボール走行面１１ａの溝の中で移動するボール１３を上方から保持する構造である。
【００１５】
インナーメンバ１２の中央部には上側ボール走行面１２ａより下方に位置し、アウターメンバ１１との間にかなり広い空間が形成される。この空間内にボルト等の係合具を入れ、ボルト１５のねじ切り部分をアウターメンバ１１に形成された複数の孔１１ｂから上方に突き出し、このねじの部分でアウターメンバ１１を壁や機器類のフレームなどに即数箇所固定する。上述したように、アウターメンバ１１は固定レールとなり、インナーメンバ１２が可動レールとなる構成である。
【００１６】
図１の吊下げ引き扉１０は、上述したボルト１５により吊下げ引き扉用スライドレール１０ａ、１０ｂのそれぞれのアウターメンバ１１が壁の枠等に固定され、インナーメンバ１２が移動懸架する目的物に取り付けられる。この実施例ではインナーメンバの下端面（底部）に吊りドアや開閉扉などの懸架可動する部材がネジ等（図示せず）の接合部材により固着される。その際、インナーメンバの左右中心位置に、他のボルト等の係合具１６と平行な雌ねじ孔を形成し、係合具１６類を固定してボルト等の係合具により扉などの稼働部材に固定する。
【００１７】
また、インナーメンバの左右の中心、すなわち、吊下げ引き扉用スライドレール１０ａ、１０ｂの左右の中心に扉の荷重がかかるので、この構成によれば扉の荷重に偏心がなくなる構成である。従来は扉を両側からスライドレールで支えていたので、荷重に偏心が生ずることがあったが、吊り下げ式であるので両側から支持する必要はく、左右どちらかに極端に荷重が偏る心配もない。
【００１８】
図２は本発明の吊下げ引き扉を設置した際の平面図である。図面で示すように前扉３２は扉当り支柱６２まで動作するので最も長いスライドレールを設置する。また後扉３２は前扉３４の半分の距離までしか動作しないため、スライドレールもその分短い寸法のものを設置することになる。
また、図２は、右側から伸びて左の扉当り支柱で当接する構造であるが、左右両方向から２枚づつの引き扉にして両開きにすることも可能である。両方向からの引き扉にすることにより、幅の広いより省スペースが実現出来、さらに、引き扉の開口を幅ひろく大きく設けることが可能となる。その際、スライドレールは両方向とも長さで構成することも可能であるが、左右で長さの異なる開き扉とすることも可能である。
【００１９】
次に、ギアとラックを係合させた吊下げ引き扉の縦断面図を図６に示す。吊下げ引き扉用のスライドレール１０ａのインナーメンバには後扉３２扉の上端を吊り下げ懸架し、もう一方のスライドレール１０ｂのインナーメンバには前扉３４を懸架する。各インナーメンバの長手方向の側壁にはラックが設けられる。
図６に示す実施例では、吊下げ引き扉スライドレール１０ａ、１０ｂを相互に係合する係合部４０の長手方向に水平にラック４６ａ，４６ｂが形成されている。大ギア４２と小ギア４４の各ギヤをラックに歯合させて介在させることにより、大ギア４２と小ギア４４をそれぞれ前扉３４と後扉３２とに係合して動作させる。大ギア４２と小ギア４４のギヤ比は２：１にである。引き扉を閉める作動をすると両扉が前進し、吊下げ引き扉用スライドレールに設置されている両扉は同時に動作を開始する。それぞれの扉の前進移動距離は異なるが、両扉が同時に移動動作を完了させるために、ギヤ比を２：１に設定してその操作の安定性を確保している。
【００２０】
ギア比を２：１にするのは、最長距離を移動する前扉３４とその半分の距離を移動する後扉３２の移動距離を２：１に制御する為である。つまりギア比により、作動時間は同じでも、移動距離が２倍となることが可能になるため、始動および完了が同時でしつ移動距離が異なる動作が可能となる。また、ギア４２、４４とラック４６ａ、４６ｂはどこにでも設置することが可能であるが、引き扉の外観等の問題から図６で示す吊下げ引き扉ダブルスライドレールに係合させる構成が望ましい。
【００２１】
図３は本発明のダブルスライドレールの別の実施例を示す図である。この実施例は、後扉３２と前扉３４の間に別のスライドレール２０を介在させて両扉を連結させた状態で、上部から吊下げ引き扉用ダブルスライドレールで吊り下げた構成である。鴨居に設けた吊下げ引き扉用ダブルスライドレールだけで吊り扉を吊り下げる構成の実施例では、前扉３４と後扉３２が最下部で揺動する不都合が生じていた。しかしながら、図３で示す別の実施例によれば別のスライドレール２０を後扉３２と前扉３４の間に介在させて両扉を接合させているので、揺動がなくなり、また、軽い押圧で静かに動作させることができる。また、吊下げ引き扉１０の全体が揺動することにより、天井との連結を保持しているボルト１５に負荷かかって、安全性が低下する事を防止する効果もある。
【００２２】
なお、本発明の吊下げ引き扉用スライドレール１０は、全てが金属製であるが、ボールリテーナ１４の基板部分は、樹脂製とすることができる。樹脂製とすることにより、射出成形などの量産方法を採用でき、さらに安価に製造することができることになる。
【００２３】
図４は、図３の実施例にさらに揺動防止のスライドレールを後扉３２の底部に設置した実施例である。この実施例では、後扉３２の底部にスライドレール２２のアウターメンバ２６を固定する。また、スライドレール２２のインナーメンバ２８には係合部材５４の一端が固定され、他端は前扉３４の後端部に固定した構成である。係合部材５４は長板状の連結具で、一端をスライドレール２２のインナーメンバ２８に固着し、他端を前扉３４の後端部のボルト固定部５２にボルトで固定している。前扉ガイド５８は、スライドレール２２のアウターメンバ２６に固着されており、後扉３２の移動と共に移動する。また、床付ガイド５６は床に固着される。
【００２４】
図５は、本発明にかかる吊下げ引き扉の動作図である。図４で示したスライドレール２２では、インナーメンバ２８は長さを極力小さい幅に構成した可動部材としている。インナーメンバ２８を小さくすることにより、戸を開けた扉収納状態で、また戸を閉めた扉全開状態で、インナーメンバがスライドレールの全長より飛び出したり邪魔になるのを極力防ぐためにインナーメンバが伸延する幅を小さくしている。図５（ａ）は、扉を開け放した状態すなわち扉を収納した状態の作動図である。後扉３２に係合しているスライドレール２２のインナーメンバ２８は、図面で示すとおり最後部に位置している。そのため、図面で示す通り戸を開け放して収納してもインナーメンバ２８は内部に止まり、飛び出して邪魔になることはない。
【００２５】
図５（ｂ）は、戸を閉じた前扉が全開した状態の図であり、スライドレール２２のインナーメンバ２８は、図面で示す通り前扉３２の最前部まで到達する。インナーメンバ２８は最前部で止まり、外に飛び出すことがないので、見えにくい状態で前扉３４と後扉３２とが係合し、揺動を防止する事が可能となる。前扉３４の移動距離はインナーメンバ２８の移動距離の２倍であり、後扉３２の移動距離はインナーメンバ２８の移動距離と同じであるが、インナーメンバがリテイナーの上に乗せてある為、前扉３４がスリップしてしまい後扉３２が前扉３４の１／２の距離を進まず閉らない可能性がある。そこで、本発明の吊下げ引き扉の前扉３４の移動距離と、後扉３２の移動距離をそれぞれ１０ｍｍ程度長くする事で回避する解決方法が考えられる。
【００２６】
図面で示す実施例では、扉を２枚と設定したが、複数枚の扉を係合させ動作させることも可能である。その際は、ギアをそれぞれの扉の間に２：１で配置すれば可能となる。また、図４で示す底部に設置した揺動防止スライドレールを図６で示す吊下げ引き扉に係合させることも可能である。
この構成にすることにより、ホテル、旅館の宴会場等の広い部屋に設置して、部屋を分ける等の利用が可能となる。また、モータ駆動にして自動扉として設置も可能であるが、軽度の力で作動するので電力式にする必要がなく、設置以後のコストもかからず経済的である。
【００２７】
【発明の効果】
上記詳述した通り、本発明の吊下げ引き扉は以下のような効果を奏する、
１．吊り下げ式なので軽度の力で作動する引き扉を設置することができる。
また、床面にレールの設置が不要なため、車椅子等の邪魔にならずバリアフリーに最適である。
また、扉と扉の間にスライドレールを係合させることにより、扉の揺動を防ぎボルト等の接続具の負荷を減らす効果がある。また、ギアとラックを係合させることにより、２対１の割合で前扉と後扉の移動範囲を制御することが可能である。また、この制御により、扉はすべてが同時に移動を開始して同時に移動を完了する構成となっている。
２．別のスライドレールを前扉と後扉の間に介在させることにより、両方の扉が揺動することを防ぐことが可能となる。片開きの引き扉も可能であるが、両開きの引き扉も可能であり、ギアとラックによりモータ駆動としても設置が可能である。
３．並行移動する２つの扉の下端が揺動しないように後扉の下端面に扉の進行方向に沿って水平にスライドレールを装着するとともに、該スライドレールのインナーメンバと前扉の後端面とを連結させたことにより、移動する２枚の扉の揺動を防止することができる。
【図面の簡単な説明】
【図１】  本発明の吊下げ引き扉の断面図
【図２】  本発明の吊下げ引き扉の設置した際の平断面図
【図３】  本発明に係る吊下げ引き扉の別の実施例
【図４】  図３の実施例にぶらつき防止のスライドレールを底部に設置した設置図
【図５】  底部に設置したぶらつき防止スライドレールの動作図
【図６】  吊下げ引き扉にラックとギアを係合させた図
【符号の説明】
１０            吊下げ引き扉
１０ａ、１０ｂ  吊下げ引き扉用スライドレール
１１            アウターメンバ（固定レール）
１１ａ          下側ボール走行面（ガイド溝）
１２            インナーメンバ（可動レール）
１２ａ          上側ボール走行面（ガイド溝）
１３            ボール
１４            ボールリテーナ
２０、２２      スライドレール
２６            アウターメンバ
２８            インナーメンバ
３２            後扉
３４            前扉
４０            係合部
４２            大ギア
４４            小ギア
４６ａ、４６ｂ  ラック
５２            ボルト固定部
５４            係合部材
５６            床付ガイド
５８            前扉ガイド
６２            支柱
【図１】
0003809083.tif 000002
【図２】
0003809083.tif 000003
【図３】
0003809083.tif 000004
【図４】
0003809083.tif 000005
【図５】
0003809083.tif 000006
【図６】
0003809083.tif 000007